(57)【要約】【課題】操作面の大型化に伴い操作部の開閉する角度を大きくしても、確実に操作部を開成状態まで開くことが可能となる。【解決手段】本体２と、操作手段２１と表示手段２２を配置した操作部５と、本体２の前面内側に設け操作部５を収納する操作部ケース１７と、操作部５の下部と操作部ケース１７の下部とを回転自在に接続するヒンジ部３１と、操作部ケース１７に固定しヒンジ部３１のロット２５を支点として操作部５を直線に戻ろうとする復元力で押し出して開成する板バネ２４と、操作部５を操作部ケース１７に収納した閉成時に板バネ２４の復元力に勝って操作部５の閉成状態を維持するラッチ２７と、を備え、板バネ２４の操作部ケース１７に固定する固定端の位置は、操作部５を回転自在に支持しているロット２５より上方に設け、もう一端の操作部５を押し出す自由端は、前記固定端の固定位置より更に上方に設けたものである。【選択図】  図４
2012007847.tif 000002
【特許請求の範囲】
【請求項１】
本体と、被加熱物を調理する条件を設定する操作手段と該操作手段で設定した調理条件を表示する表示手段を配置した操作面を上方に有する操作部と、前記本体の前面内側に設け前記操作部を収納する操作部ケースと、前記操作部の下部と前記操作部ケースの下部とを回転自在に接続するヒンジ部と、前記操作部ケースに固定し前記ヒンジ部のロットを支点として前記操作部を直線に戻ろうとする復元力で押し出して開成する板バネと、前記操作部を前記操作部ケースに収納した閉成時に前記板バネの復元力に勝って前記操作部の閉成状態を維持するラッチと、を備え、前記板バネの前記操作部ケースに固定する固定端の位置は、前記操作部を回転自在に支持しているロットより上方に設け、もう一端の前記操作部を押し出す自由端は、前記固定端の固定位置より更に上方に設けたことを特徴とする加熱調理器。
【請求項２】
前記ロットは、前記操作部の側面の穴より挿入して前記操作部と前記操作部ケースのヒンジに挿入して回転自在に固定し、前記側面の前記穴の外側に、操作部前面パネルと一体成型で設けバネ性を持たせたロット押さえで塞ぐことを特徴とする請求項１記載の加熱調理器。
【発明の詳細な説明】
【技術分野】
【０００１】
本発明は、前面操作部の使い勝手を向上させた加熱調理器に関するものである。
【背景技術】
【０００２】
操作部の使い勝手を向上させた加熱調理器で、操作性と視認性に優れた使い勝手の良い一例として、特許文献１に記載されたものが知られている。
【０００３】
特許文献１に記載されたものは、操作部を本体前面側に取付け、その操作部は、前面下辺を軸として回転し、未使用時は本体へ回転して収納されるものであり、操作部を引き出した時に、上部に位置する面が操作面で入力操作キーが配置されたものである。
【０００４】
その操作部を引き出す時は、前記操作部の軸に設けられたトーションバネの付勢力よって前記操作部が回転して突出するものである。
【先行技術文献】
【特許文献】
【０００５】
【特許文献１】特開２００１−１９３９４４号公報
【発明の概要】
【発明が解決しようとする課題】
【０００６】
特許文献１に記載された加熱調理器において、回転して突出する操作部の上面に位置する操作面を奥行き方向で広げると、本体前面側に出っ張らずに収納した前記操作部の前記操作面の全体を露出するには、前記操作部の回転する角度が大きくなる。そのため、操作部の軸に設けられたトーションバネの付勢力を強くして前記操作部を押し出す必要があり、製造時にトーションバネを軸に通し難くなる課題がある。
【課題を解決するための手段】
【０００７】
本発明は、上記の課題を解決するためになされたものであり、本体と、被加熱物を調理する条件を設定する操作手段と該操作手段で設定した調理条件を表示する表示手段を配置した操作面を上方に有する操作部と、前記本体の前面内側に設け前記操作部を収納する操作部ケースと、前記操作部の下部と前記操作部ケースの下部とを回転自在に接続するヒンジ部と、前記操作部ケースに固定し前記ヒンジ部のロットを支点として前記操作部を直線に戻ろうとする復元力で押し出して開成する板バネと、前記操作部を前記操作部ケースに収納した閉成時に前記板バネの復元力に勝って前記操作部の閉成状態を維持するラッチと、を備え、前記板バネの前記操作部ケースに固定する固定端の位置は、前記操作部を回転自在に支持しているロットより上方に設け、もう一端の前記操作部を押し出す自由端は、前記固定端の固定位置より更に上方に設けたものである。
【０００８】
また、前記ロットは、前記操作部の側面の穴より挿入して前記操作部と前記操作部ケースのヒンジに挿入して回転自在に固定し、前記側面の前記穴の外側に、操作部前面パネルと一体成型で設けバネ性を持たせたロット押さえで塞ぐものである。
【発明の効果】
【０００９】
本発明によれば、操作部の開閉する角度を大きくしても、操作部を開くための板バネの復元力を強くすること無く、確実に操作部を開成状態まで開くことが可能となる。
【００１０】
また、操作部のヒンジにロットを通すのも容易に行える。
【図面の簡単な説明】
【００１１】
【図１】一実施例に係る加熱調理器（操作部は開成状態）をシステムキッチンに収納した状態の斜視図である。
【図２】図１のＡ−Ａ断面図（操作部は閉成状態）である。
【図３】一実施例の操作部ケースと操作部を開成した時の斜視図である。
【図４】図３のＣ−Ｃ断面図である。
【図５】操作部を閉成した時の断面図である。
【図６】図３のＢ部拡大図である。
【発明を実施するための形態】
【００１２】
以下、本発明の実施例を図１から図６に従って説明する。尚、本実施例は、システムキッチンに嵌め込むビルトイン型でなく、キッチンに載置する据置型の加熱調理器であっても差し支えない。
【００１３】
図１，図２において、加熱調理器の本体２は、システムキッチン１の上面から落とし込んで設置され、設置後はオーブン（ロースター）４と操作部５と電源スイッチ１９がシステムキッチン１の前面部から操作できるようになっている。
【００１４】
調理を行う際の調理鍋（図示せず）は、本体２の上面に配置された耐熱ガラス等からなるプレート３上に載置され、プレート３の周囲端面は、プレート枠２０によって保護されている。
【００１５】
プレート３には載置部６が描かれており、該載置部６に調理鍋を載置することにより調理可能となる。載置部６は、プレート３の上面手前の右に載置部右６ａ、左に載置部左６ｂが配置され、これら両載置部６ａ，６ｂ間の奥（中央後部）に載置部中央６ｃが配置されている。そして、プレート３を挟んで各載置部６の下に位置するように、本体２内の上部に調理鍋を加熱するための加熱コイル１１が設置されている。
【００１６】
また、プレート３の前面側には、上面操作部９とその奥側に位置する上面表示部１０が設けられている。上面操作部９は、主に加熱コイル１１の火力や加熱時間の設定を行い、上面表示部１０に前記上面操作部９にて設定された情報の表示を行う。
【００１７】
本体２の内部には、加熱コイル１１や、加熱コイル１１に電源を供給するインバータ基板１５や制御基板１３の電子部品およびこれらの発熱部品を冷却するための送風ファン１２が配置され、本体２の後部上面に、前記送風ファン１２の駆動によって外気を吸引する吸気口７と、発熱部品である加熱コイル１１や電子部品を冷却した後の廃熱を本体２外に排出する排気口８が設けられている。なお、排気口８からはオーブン４の廃熱も同時に排出される。
【００１８】
１６は放熱フィンで、発熱する電子部品に取り付け、送風ファン１２から送風された風によって効率よく熱交換するためのものである。
【００１９】
１４は基板ケースで、制御基板１３とインバータ基板１５を覆い、送風ファン１２から送風される風を効率よく制御基板１３とインバータ基板１５に送るためのものである。
【００２０】
１３は制御基板で、設定された調理条件（火力や加熱時間）に応じて加熱コイル１１に供給する電源や後述するオーブン４の加熱部（図示無し）を制御するものである。
【００２１】
本体２の前面左側に配置された、オーブン４は、魚や肉，ピザ等の被加熱物を焼くためのもので、開口部はドア４ａで塞がれる。なお、本実施例ではオーブン４を本体２の前面左側に設けたが、前面右側に設ける構成としても良い。また、オーブンは、呼び名としてロースター，グリルと呼ぶこともある。
【００２２】
オーブン４の隣側には、前面パネル１８と電源スイッチ１９とその下方に主にオーブン４の調理条件を設定する操作部５が設けられている。
【００２３】
１７は操作部ケースで、操作部５を閉成した時に、操作部５を収納できるように本体２の前面内側に設けている。
【００２４】
図１は操作部５を開成した状態を示し、図２は操作部５を閉成した状態を示すもので、５ａは操作面で、被加熱物を調理する火力や加熱時間，メニューの選択などの調理する条件を設定する操作手段２１（図３）と設定した条件を表示する表示手段２２（図３）を設け、操作部５を開成した時に使用者から操作しやすい上面部に設けている。５ｂは操作部前面パネルで、操作部５を閉成した時に前面パネル１８と同一面になるので、意匠的に前面パネル１８と共に配慮されている。５ｃは操作部５の側面の操作部右面、５ｄは操作部５の側面の操作部左面である。
【００２５】
次に図３〜図５を用いて操作部５の構造について説明する。
【００２６】
２１は操作手段で、操作面５ａに設けられ、主にオーブン４の調理するときの火力や加熱時間，調理の種類などの条件を設定するものである。
【００２７】
２２は表示手段で、操作面５ａに設けられ、操作手段２１で設定した調理条件（火力，加熱時間など）を表示するものである。
【００２８】
２３はロータリーダンパーで、外力に対して一定の回転速度で回転するギヤ（図示なし）を設けたもので、操作部５の操作部右面５ｃに設けられた平板状のギヤ５ｅとロータリーダンパー２３のギヤとが噛合い、操作部５を開こうとする力に対してギヤ５ｅの移動速度をロータリーダンパー２３のギヤが一定速度に抑制することで、操作部５を急激に開くことなく一定の速度で開くようにしている。
【００２９】
３１はヒンジ部で、操作部５を操作部ケース１７に対して開閉できるように、操作部５の操作部右面５ｃと操作部左面５ｄとの内側下部に設けた複数のヒンジＡ２６ａと操作部ケース１７の下部に設けた複数のヒンジＢ２６ｂとをロット２５で貫通し、ロット２５を支点として回転自在に支えるものである。
【００３０】
２４は板バネで、ＳＵＳのバネ材で成型された片持ちバネを構成し、固定端側（イ部）は操作部ケース１７に固定し、もう片方の自由端（ロ部）は操作部５の操作部前面パネル５ｂの内側を操作部５の開く方向に押し当て、操作部５を閉成した場合は板バネ２４は略Ｌ字状に曲げられ、操作部５を開成するときは板バネ２４が直線に戻ろうとする復元力によって操作部５を開成する。
【００３１】
５ｆはバネ受け部で、操作部５を開閉するときに、操作部前面５ｂの内側を板バネ２４の自由端が摺動しながら押す場所で、常に板バネ２４が直線状に戻ろうとする復元力が印加される。
【００３２】
板バネ２４の固定端は、操作部５を回転自在に支持しているロット２５より上方になるように操作部ケースに固定し、自由端は固定端より更に上方の位置を押すように設けることで、操作部５を開くときに板バネ２４の復元力を大きな力として利用している。
【００３３】
２７はラッチで、操作部ケース１７側に受け部２７ａと操作部５に凸部２７ｂを設け、操作部５が閉成した後に板バネ２４の復元力で開かないように受け部２７ａは凸部２７ｂをカムで抑え、抑えている状態で再度操作部５を閉まる方向に押し込むことで受け部２４ａのカムが動作して凸部２７ｂを放すように設けられている。
【００３４】
次に図６を用いてロット２５の抜け防止の構造について説明する。
【００３５】
２８は操作部５の側面である操作部右面５ｃに設けたロット２５を通す穴で、操作部５の操作部右面５ｃと操作部左面５ｄとの内側下部に設けた複数のヒンジＡ２６ａと操作部ケース１７の下部に設けた複数のヒンジＢ２６ｂとを回転自在に支えるようにロット２５で貫通するために挿入する穴２８である。
【００３６】
２９はロット押さえで、操作部前面パネル５ｂと一体成型され、操作部前面パネル５ｂと連結した根元２９ｂと操作部右面５ｃに設けた穴２８を塞ぐ先端２９ａを設けた略Ｌ字形状で、ロット押さえ２９は根元２９ｂを支点にしてホの方向にバネ性を持たせて変形できるように、その周囲を切り欠いた切り欠き部３０を設けている。
【００３７】
本実施例は、以上の構成からなり、次にその動作について説明する。
【００３８】
まず、ロット２５の抜け防止について説明する。
【００３９】
操作部ケース１７に操作部５を固定するときは、操作部５の側面の内側下部に設けた複数のヒンジＡ２６ａと操作部ケース１７の下部に設けた複数のヒンジＢ２６ｂとの穴を合わせ、操作部５の側面である操作部右面５ｃに設けた穴２８からロット２５を挿入する。
【００４０】
穴２８は、ロット押さえ２９の先端部２９ａで塞がれているので、ロット押さえ２９をホの方向へ変形させ、穴２８を塞いでいる先端部２９ａを除けてから、ロット２５を穴２８に通し、ロット２５を挿入しながらヒンジ２６の夫々の穴を通し、先に通したロット２５の先端を操作部左面に突き当てロット２５の挿入を終了する。
【００４１】
ロット押さえ２９の先端部２９ａは、ロット２５の挿入が終了すると、ロット押さえ２９の復元を邪魔するものが無くなることで、ロット押さえ２９は元の位置に戻り、先端部２９ａは元の位置に戻り穴２８を塞ぎロット２５の抜けるのを防止できる。
【００４２】
次に、操作部５の開閉について、まず、開成状態から閉成状態に閉める場合について説明する。
【００４３】
加熱調理器を使用した後、操作部５を閉成する場合は、操作部前面パネル５ｂを押し上げるように操作面５ａを閉める方向に押し込むと、ヒンジ部３１のロット２５を支点として回転し、操作部５を操作部ケース１７内に回転しながら収納される。
【００４４】
収納時は、操作部ケース１７側に設けられた受け部２７ａに操作部５に設けた凸部２７ｂが挿入され、凸部２７ｂを受け部２７ａ内のカムに抑えられて閉成状態を維持する。
【００４５】
図５によると、板バネ２４の固定端側（イ部）は操作部ケース１７に固定されて動くことはない。閉成動作を開始すると、板バネ２４の自由端（ロ部）が操作部前面パネル５ｂ内側のバネ受け部５ｆで摺動しながら、バネ受け部５ｆの上方向に移動する。
【００４６】
そして、自由端（ロ部）と固定端（イ部）の間で、操作部５の回転の軸となるヒンジ部３１よりも固定端（イ部）側では、自由端（ロ部）が徐々に受け部５ｆの上方向に移動するに連れて、板バネ２４はヒンジ部３１より上方に円弧状にたたまれる。そして自由端（ロ部）の直下で受け部５ｆに接触する部分はほぼ直線になる。
【００４７】
ここで、板バネ２４は常に直線状に戻ろうとする復元力が印加されているので、前記した円弧状にたたまれた部分に大きな復元力を蓄えている。
【００４８】
また、固定端（イ部）は、前記したようにヒンジ部３１よりも上方に固定されているため、自由端（ロ部）は当然ヒンジ部３１よりも上方でバネ受け部５ｆに当接している。
【００４９】
そのため、回転する軸となるヒンジ部３１から上方に離れた位置に、開成動作する開始位置として自由端（ロ部）が構えている。
【００５０】
よって、てこの原理により、回転の軸のヒンジ部３１から離れた位置で自由端（ロ部）が押し出す力を作用すれば、楽に押し出して開成動作を開始することができる。
【００５１】
次に、操作部５を開き操作面５ａを上方に向けて開成する場合は、一度操作部５の操作部前面パネル５ｂを更に押し込むことで、受け部２７ａ内のカムが動作して抑えていた凸部２７ｂを放す。
【００５２】
凸部２７ｂが放されると、操作部５は、板バネ２４の強い復元力によってヒンジ部３１のロット２５を支点として回転し開き始める。
【００５３】
開き始めは、板バネ２４の強い復元力で急に開こうとする力をロータリーダンパー２３によって一定以下の回転速度に抑え、操作部５の操作面５ａ全面を開いて開成する。
【００５４】
開成動作の板バネ２４の働きについて前記の閉成動作で図５を用いて説明した内容に追加して、図４を用いて説明する。
【００５５】
板バネ２４は、開成動作を開始すると、板バネ２４の最も大きな復元力を蓄えている部分から発散される。つまり、自由端（ロ部）と固定端の間で、操作部５の回転の軸となるヒンジ部３１よりも固定端（イ部）側で、ヒンジ部３１より上方に円弧状にたたまれた部分が直線状に戻ろうとする。
【００５６】
開成動作が開始すると、その円弧状にたたまれた部分が徐々に円弧が大きく広がって伸びていく。それに連れて、自由端（ロ部）の直下で受け部５ｆに接触する部分でほぼ直線を保つ長さが徐々に短くなり、受け部５ｆの上方向に位置していた自由端が徐々に下方へ摺動していきながら、操作部５を外へ押し出す力をバネ受け部５ｆに作用させている。
【００５７】
更に、固定端（イ部）は、前記したようにヒンジ部３１よりも上方に固定されているため、自由端（ロ部）は当然ヒンジ部３１よりも上方でバネ受け部５ｆに当接している。
【００５８】
そのため、回転の軸となるヒンジ部３１より上方に離れた位置から開成動作を開始する位置として自由端（ロ部）が構えていた。
【００５９】
さらに開成動作で操作部５の操作面５ａが全て露出する位置まで開いた時点まで、回転の軸となるヒンジ部３１より上方に離れた位置を自由端（ロ部）が操作部５を押し出す力をバネ受け部５ｆに作用し続ける。
【００６０】
よって、てこの原理により、操作面５ａが全て露出する位置となるように操作部５が開く角度まで、回転の軸のヒンジ部３１から離れた位置を自由端（ロ部）が押し出す力を作用し続けるので、板バネ２４は大きな復元力を持つ必要がなく開成動作することができる。
【００６１】
また、板バネ２４は大きな復元力を持つ必要がないため、閉成動作時の押し込み操作力が大きくならないのでユーザーに不快感を与えない。
【００６２】
上記したように、本実施例によれば、操作部５の開閉する角度を大きくしても、操作部５を開くための板バネ２４の復元力を強くすること無く、確実に操作部を開成状態まで開くことが可能となる。
【００６３】
また、操作部５のヒンジ２６にロット２５を通すのも容易に行えるものである。
【符号の説明】
【００６４】
１  システムキッチン
２  本体
３  プレート
５  操作部
１７  操作部ケース
２４  板バネ
２５  ロット
２６  ヒンジ
２７  ラッチ
２８  穴
２９  ロット押さえ
３１  ヒンジ部
【図１】
2012007847.tif 000003
【図２】
2012007847.tif 000004
【図３】
2012007847.tif 000005
【図４】
2012007847.tif 000006
【図５】
2012007847.tif 000007
【図６】
2012007847.tif 000008